(57)【要約】【課題】  無線ＩＣメモリを搭載した記録媒体であって当該無線ＩＣメモリへの不正アクセスを防止することができる記録媒体を提供することを目的としている。【解決手段】  本発明の記録媒体１０は、ディスク１２と、ケース１６と、シャッタ２０と、無線ＩＣメモリ２６とを備えている。シャッタ２０は、ケース１６に設けられた窓１７ｃ及び１８ｃを開閉する部材であって、アクセス装置からの取り出し時に窓１７ｃ及び１８ｃを閉じるように移動される。無線ＩＣメモリ２６は、ケースによって支持されている。シャッタ２０は、窓１７ｃ及び１８ｃを閉じている状態においては無線ＩＣメモリ２６の少なくとも一部を覆い、通過する電磁波を所定量以下に減少させる。【選択図】  図２
2007012179.tif 000002
【特許請求の範囲】
【請求項１】
記録担体と、
前記記録担体を収容し、前記記録担体へのアクセス用の窓を有するケースと、
前記窓を開閉し、アクセス装置への挿入状態では、前記窓から前記記録担体が露出している開状態とし、該アクセス装置からの取り出し状態では、前記窓を閉状態とするシャッタと、
前記ケースに支持された無線ＩＣメモリと、
を備え、
前記シャッタは、前記開状態において前記無線ＩＣメモリを露出させ、前記窓を前記閉状態において前記無線ＩＣメモリの少なくとも一部を覆い、通過する電磁波を所定量以下に減少させる、
記録媒体。
【請求項２】
前記シャッタは、導電性の材料を含有する、
請求項１に記載の記録媒体。
【請求項３】
前記シャッタには、開口が設けられており、
前記開口は、前記シャッタが前記開状態において、前記無線ＩＣメモリを露出させる、
請求項１または２に記載の記録媒体。
【請求項４】
前記ケースは、前記シャッタの移動範囲にあって前記開状態において露出される領域を有しており、
前記無線ＩＣメモリは、前記領域に設けられている、
請求項１または２に記載の記録媒体。
【発明の詳細な説明】
【技術分野】
【０００１】
本発明は、記録媒体に関するものである。
【背景技術】
【０００２】
ＲＦＩＤタグ（Radio FrequencyIDentification、無線ＩＣタグともいう）といった無線ＩＣメモリを搭載した記録媒体が知られている。例えば、特許文献１に開示された記録媒体には、ＲＦＩＤタグが搭載されており、当該ＲＦＩＤタグには情報鍵が記憶されている。この記録媒体用のアクセス装置は、ＲＦＩＤタグから読み取った情報鍵を用いることによって、記録担体にアクセスすることができる。また、特許文献２に開示された記録媒体も同様にＲＦＩＤタグを搭載しており、当該ＲＦＩＤタグには記録担体に記録された情報を確認するためのラベル情報が記憶されている。
【特許文献１】特開２００３−５８８４０号公報
【特許文献２】特開平１１−２３１７８２号公報
【発明の開示】
【発明が解決しようとする課題】
【０００３】
先述のＲＦＩＤタグといった無線ＩＣメモリは、外部からの電磁波に応じて、記憶している情報を出力したり、この情報を書き換えたりする。すなわち、無線ＩＣメモリは、所有者が意図しなくとも、電磁波が照射されると、情報を出力したり、情報を入力したりする。
【０００４】
そこで、本発明は、無線ＩＣメモリを搭載した記録媒体であって当該無線ＩＣメモリへの不正アクセスを防止することができる記録媒体を提供することを目的としている。
【課題を解決するための手段】
【０００５】
本発明の記録媒体は、記録担体と、記録担体を収容し、記録担体へのアクセス用の窓を有するケースと、窓を開閉し、アクセス装置への挿入状態では、窓から記録担体が露出している開状態とし、該アクセス装置からの取り出し状態では、窓を閉状態とするシャッタと、ケースに支持された無線ＩＣメモリとを備える。シャッタは、開状態において無線ＩＣメモリを露出させ、窓を閉状態において無線ＩＣメモリの少なくとも一部を覆い、通過する電磁波を所定量以下に減少させる。なお、「所定量」とは、無線ＩＣメモリに駆動電圧を発生させない範囲での最大レベルの電磁波の強度である。
【０００６】
ところで、無線ＩＣメモリを電磁波から遮蔽するための被覆具や包装袋は、特開２０００５−８６２４４号公報および特開平１１−１１５３６号公報に開示されている。これら被覆具や包装袋によれば、所有者が無線ＩＣメモリの出し入れを行う必要がある。したがって、使用後に無線ＩＣメモリを被覆し忘れた場合に、これらの被覆具や包装袋では無線ＩＣメモリへの不正アクセスを防止することができない。
【０００７】
一方、本発明の記録媒体によれば、アクセス装置から取り出されるときに当該アクセス装置によって移動されたシャッタが、無線ＩＣメモリを覆って、通過する電磁波を減少させる。したがって、アクセス装置から取り出された後には、所有者による操作がなくとも、無線ＩＣメモリへのアクセスが防止される。
【０００８】
シャッタは、導電性の材料を含有するものであってもよい。また、シャッタには開口が設けられており、シャッタが開状態において、この開口が無線ＩＣメモリを露出させてもよい。
【０００９】
ケースは、シャッタの移動範囲にある領域であって開状態において露出される領域を有しており、この領域に無線ＩＣメモリが設けられていることが好ましい。この構成によれば、無線ＩＣメモリを露出させるための開口がないシャッタであっても、本発明の目的を実現可能である。
【発明の効果】
【００１０】
本発明によれば、無線ＩＣメモリを搭載した記録媒体であって当該無線ＩＣメモリへの不正アクセスを防止することができる記録媒体が提供される。
【発明を実施するための最良の形態】
【００１１】
以下、図面を参照して本発明の好適な実施形態について詳細に説明する。なお、各図面において同一又は相当の部分に対しては同一の符号を附すこととする。
【００１２】
［第１の実施の形態］
図１は、本発明の第１の実施の形態に係る記録媒体の斜視図である。図２は、本発明の第１の実施の形態に係る記録媒体の分解斜視図である。図１及び図２に示す記録媒体１０は、無線ＩＣメモリを搭載したミニディスク（以下、ＭＤという）である。この記録媒体１０は、光磁気ディスク（以下、「ディスク」という）１２と、クランピングプレート１４と、ケース１６と、シャッタ２０と、フック２２と、ライトプロテクタ２４と、無線ＩＣメモリ２６とを備えている。
【００１３】
ディスク１２は、円盤状の記録担体であり、その中心には孔が設けられている。
【００１４】
クランピングプレート１４は、記録媒体１０がアクセス装置に挿入されているときに、ディスク１２をクランプするものである。クランピングプレート１４は、略円盤状の部材であって、例えば金属性の材料からなる。クランピングプレート１４は、ディスク１２の孔と略同軸に設けられている。このクランピングプレー１４とディスク１２は、ケース１６の内部に収容されている。
【００１５】
ケース１６は、中空のカートリッジであって、ディスク１２の一方側の盤面に対面する上壁部１６ａ、ディスク１２の他方側の面に対面する下壁部１６ｂ、並びに、上壁部１６ａの縁及び下壁部１６ｂの縁に位置する側部１６ｃ及び１６ｄを有している。このケース１６は、上部ケース１７と下部ケース１８とによって構成されている。
【００１６】
上部ケース１７は、一方の盤面側からディスク１２を覆うものであり、ベース部１７ａと側壁部１７ｂとを有している。ベース部１７aは、略角型をなす平板状の部分であり、ケース１６の上壁部１６ａを構成している。このベース部１７ａには、アクセス窓１７ｃが設けられており、当該アクセス窓１７ｃを介してアクセス装置からの磁界がディスク１２に印加される。側壁部１７ｂは、ベース部１７ａの縁に沿って設けられている。側壁部１７ｂは、ケース１６の側部１６ｃの一部を構成している。
【００１７】
下部ケース１８は、他方の盤面側からディスク１２を覆うものであり、上部ケース１７と同様に、ベース部１８ａと側壁部１８ｂとを有している。ベース部１８ａは、略角型をなす平板状の部分であり、ケース１６の下壁部１６ｂを構成している。このベース部１８ａには、アクセス窓１８ｃが設けられている。ディスク１２には、アクセス窓１８ｃを介してアクセス装置からのレーザ光が照射される。さらに、ベース部１８ａには、孔１８ｄが設けられており、この孔１８ｄからディスク１２の中央及びクランピングプレート１４が露出されている。側壁部１８ｂは、ベース部１８aの縁に沿って設けられており、ケース１６の側部１６ｃの他の一部を構成している。
【００１８】
かかる上部ケース１７及び下部ケース１８によって構成されるケース１６の側部１６ｃには、開口１６ｆが設けられている。ケース１６の内部には、この開口１６ｆに沿ってスライド可能に、ライトプロテクタ２４が収容されている。ライトプロテクタ２４は、開口１６ｆの一方端側にスライドされることによってディスク１２を書き込み可能な状態にし、他方端側にスライドされることによってディスク１２への書き込みを防止する。
【００１９】
また、ケース１６には、側部１６ｄに沿ってスライド可能にシャッタ２０が取り付けられている。このシャッタ２０は、アクセス窓１７ｃ及び１８ｃを開閉するための部材である。
【００２０】
シャッタ２０は、第１の部分２０ａ、第２の部分２０ｂ、第３の部分２０ｃ、及び爪２０ｄを有している。第１の部分２０ａは、ケース１６の上壁部１６ａの外面（ベース部１７ａの外面）に沿う部分である。この第１の部分２０ａにはアクセス窓１７ｃを介してディスク１２を露出させるための開口２０ｅが設けられている。
【００２１】
第２の部分２０ｂは、ケース１６の下壁部１６ｂの外面（ベース部１８ａの外面）に沿う部分である。この第２の部分２０ｂには、アクセス窓１８ｃを介してディスク１２を露出させるための開口２０ｆが設けられている。この第２の部分２０ｂと第１の部分２０ａとは、側部１６ｄに沿う第３の部分２０ｃによって結合されている。
【００２２】
第３の部分２０ｃには爪２０ｄが接続されている。爪２０ｄは、第１の部分２０ａと第２の部分２０ｂとの間において、第１の部分２０ａと略平行に延びている。この爪２０ｄは、アクセス窓１７ｃ及び１８ｃを閉じている状態のシャッタ２０を固定するためのものであり、側部１６ｄに沿って設けられたフック２２によって係止される。
【００２３】
このシャッタ２０によって覆われる上壁部１６ａ上の領域には、無線ＩＣメモリ２６が搭載されている。より具体的には、無線ＩＣメモリ２６が、上壁部１６ａ（ベース部１７ａ）上の領域であってシャッタ２０のスライド方向においてアクセス窓１７ｃと順に並ぶ領域に搭載されている。無線ＩＣメモリ２６は、所謂ＲＦＩＤタグであり、アンテナおよびＩＣチップを有している。ＩＣチップは、直流電圧生成回路と、メモリと、制御回路とを有している。
【００２４】
無線ＩＣメモリ２６に外部から電磁波が照射されると、アンテナによって電磁波が電気信号に変換される。直流電圧生成回路は電気信号のキャリア成分を整流または昇圧し、更に平滑することによって直流電圧を生成する。制御回路およびメモリに直流電圧が供給されると、制御回路がメモリに記憶された情報に応じた出力信号をアンテナへ出力する。アンテナはこの出力信号を電磁波に変換して外部へ出力する。このようにして、ＲＦＩＤタグ２６は外部からの電磁波を受けてメモリに記憶された情報を出力する。なお、無線ＩＣメモリ２６には、例えば、ディスク１２に記録されている情報にアクセスするための情報鍵を記憶させることができる。また、無線ＩＣメモリ２６は、外部からの電磁波に変調信号が重畳されている場合、制御回路によって抽出される変調信号に応じて、メモリに記憶された情報を書き換えることが可能であってもよい。
【００２５】
以下、記録媒体１０について更に詳細に説明する。図３は、シャッタによってアクセス窓が閉じられている状態（閉状態）の記録媒体１０の平面図である。図３に示す状態は、アクセス装置から記録媒体１０が取り出された状態である。
【００２６】
記録媒体１０がアクセス装置から取り出されるときに、シャッタ２０は、当該アクセス装置によってスライドされて、アクセス窓１７ｃ及び１８ｃを覆い、フック２２によって係止される。この状態のシャッタ２０は、無線ＩＣメモリ２６を覆っており、無線ＩＣメモリ２６に照射される電磁波を所定量以下に減少させる。すなわち、シャッタ２０は、無線ＩＣメモリ２６に駆動電圧を発生させないように電磁波を減少させる。無線ＩＣメモリ２６に駆動電圧を発生させないためには、シャッタ２０は、無線ＩＣメモリ２６のアンテナの少なくとも一部を覆うことが有効である。この有効性の詳細については後述する。
【００２７】
そのために、シャッタ２０は、導電性の材料を含有している。シャッタ２０の材料としては、アルミニウム（Ａｌ）やステンレス（ＳＵＳ）が例示される。また、シャッタ２０は、金属の微粒子或いは格子状の金属線を含有する樹脂といった非導電性の材料から構成されていてもよい。
【００２８】
図４は、アクセス窓から記録担体が露出されている状態（開状態）の記録媒体１０の正面図である。図４に示す状態は、記録媒体１０がアクセス装置に挿入された状態である。アクセス装置に記録媒体１０が挿入されると、フック２２による係止が解除され、シャッタ２０は、当該アクセス装置によってスライドされる。これによって、開口２０ｅとアクセス窓１７ｃとが対向し、開口２０ｆとアクセス窓１８ｃが対向する。
【００２９】
また、図４に示す状態においては、開口２０ｅが無線ＩＣメモリ２６と対向しており、無線ＩＣメモリ２６を露出させている。そのために、本実施の形態では、開口２０ｅが、アクセス窓１７ｃと無線ＩＣメモリ２６とを同時に露出することが可能なサイズを有している。
【００３０】
かかる記録媒体１０によれば、アクセス装置からの取り出し時に、当該アクセス装置によって自動的にシャッタ２０がアクセス窓１７ｃ及び１８ｃを閉じ、同時にシャッタ２０が無線ＩＣメモリ２６を覆って当該無線ＩＣメモリ２６に至る電磁波の強度を減少させる。その結果、アクセス装置から取り出された後には、所有者による操作がなくとも、無線ＩＣメモリ２６への不正アクセスが防止される。このように、本実施形態によれば、アクセス装置から取り出された後には、無線ＩＣメモリ２６の情報の漏洩や改竄等を防止することができる。
【００３１】
［第２の実施の形態］
図５および図６は、本発明の第２の実施の形態に係る記録媒体の平面図である。以下、図５及び図６に示す記録媒体１０Ａに関して、記録媒体１０と異なる点を説明する。
【００３２】
記録媒体１０Ａは、シャッタ２０に代えてシャッタ２０Ａを備えている。上述の記録媒体１０のシャッタ２０には、アクセス窓１７ｃと無線ＩＣメモリ２６とを同時に露出することが可能なサイズの開口２０ｅが設けられているが、シャッタ２０Ａにはこの開口２０ｅに代わる開口２０ｇ及び２０ｈが設けられている。
【００３３】
開口２０ｇは、シャッタ２０Ａの第１の部分２０ａに設けられている。アクセス装置への挿入時、即ちシャッタ２０Ａがアクセス窓１７ｃを介してディスク１２を露出させている時に、開口２０ｇはアクセス窓１７ｃに対向する。この開口２０ｇは、アクセス窓１７ｃと略同等のサイズを有している。開口２０ｈは、シャッタ２０Ａの第１の部分２０ａに設けられている。開口２０ｈは、アクセス装置への挿入時に無線ＩＣメモリ２６と対向する開口である。この開口２０ｈは、無線ＩＣメモリ２６と略同サイズの開口である。
【００３４】
無線ＩＣメモリ２６は、アクセス窓１７ｃからの上記スライド方向における距離が、同方向における開口２０ｇと開口２０ｈとの距離と略同等になるように、ケース１６の上壁部１６ａに搭載されている。
【００３５】
かかる構成の記録媒体１０Ａがアクセス装置に挿入されると、当該アクセス装置によってシャッタ２０Ａがスライドされて、図５に示すように、開口２０ｅ及びアクセス窓１７ｃ、並びに開口２０ｆ及びアクセス窓１８ｃを介してディスク１２が露出され、開口２０ｇを介して無線ＩＣメモリ２６が露出される。したがって、アクセス装置は、無線ＩＣメモリ２６及びディスク１２の両者にアクセスすることが可能となる。
【００３６】
一方、記録媒体１０Ａがアクセス装置から取り出されるときには、当該アクセス装置によってシャッタ２０Ａがスライドされて、図６に示すようにシャッタ２０によってアクセス窓１７ｃ及び１８ｃが閉じられＲＦＩＤタグ２６が覆われる。したがって、アクセス装置からの取り出された後には、所有者による操作がなくとも、無線ＩＣメモリ２６への不正アクセスが防止される。このように、本実施形態によれば、アクセス装置から取り出された後には、無線ＩＣメモリ２６の情報の漏洩や改竄等を防止することができる。
【００３７】
［第３の実施の形態］
図７および図８は、本発明の第３の実施の形態に係る記録媒体の平面図である。以下、図７及び図８に示す記録媒体１０Ｂについて、記録媒体１０と異なる点を説明する。
【００３８】
記録媒体１０Ｂは、シャッタ２０に代えてシャッタ２０Ｂを備えている。また、無線ＩＣメモリ２６を搭載するケース１６上の搭載領域は、シャッタ２０Ｂのスライド方向においてアクセス窓１７ｃと順に並んでいる。
【００３９】
シャッタ２０Ｂは、開口を有していない点において上述のシャッタ２０とは異なっている。このシャッタ２０Ｂの第１の部分２０ａは、アクセス窓１７ｃと上記搭載領域とを同時に覆うことが可能なサイズを有している。また、シャッタ２０Ｂのスライド方向における第１の部分２０ａの長さは、搭載領域側とは反対側のアクセス窓１７ｃの縁とアクセス窓１７ｃ側とは反対側の上記搭載領域の縁との間の距離と略同一になっている。したがって、上記搭載領域は、シャッタ２０Ｂのスライド範囲にあって、シャッタ２０Ｂがアクセス窓からディスク１２を露出させているときに露出される。
【００４０】
この搭載領域に無線ＩＣメモリ２６が搭載されているので、シャッタ２０Ｂがアクセス窓１７ｃを露出させている状態においては、無線ＩＣメモリ２６も露出される。一方、シャッタ２０Ｂがアクセス窓１７ｃを閉じている状態においては、無線ＩＣメモリ２６はシャッタ２０Ｂによって覆われる。
【００４１】
かかる記録媒体１０Ｂも、第１の実施の形態及び第２の実施の形態の記録媒体と同様に、アクセス装置への挿入時には無線ＩＣメモリ２６が露出される。一方、アクセス装置からの取り出し時には、所有者による操作がなくとも、シャッタ２０Ｂによって無線ＩＣメモリ２６が覆われる。したがって、アクセス装置からの取り出された後に、無線ＩＣメモリ２６への不正アクセスが防止される。このように、本実施形態によれば、アクセス装置から取り出された後には、無線ＩＣメモリ２６の情報の漏洩や改竄等を防止することができる。なお、従来のミニディスクのシャッタのサイズを変更し、ケース１６における上述の搭載領域に無線ＩＣメモリ２６を搭載することのみによって、第３の実施の形態の記録媒体１０Ｂが得られる。したがって、従来のミニディスクの簡易な設計変更によって記録媒体１０Ｂが実現される。
【００４２】
以上、本発明の好適な実施の形態をＭＤを例にとって説明したが、本発明の思想は、ＭＤに限らず、フレキシブルディスク（ＦＤ）、ＤＶＤ−ＲＡＭ、及びブルーレイディスクといった記録媒体に適用可能である。
【００４３】
ＦＤについてより詳細に説明すると、ＦＤは、ＭＤと同様に記録担体へのアクセスのためのアクセス窓を開閉するシャッタを有している。このシャッタは、バネといった付勢部材によって、アクセス窓を閉じる位置へ付勢されている。したがって、アクセス装置からの取り出し時には、所有者による操作がなくとも、シャッタがアクセス窓を閉じる位置に自動的に移動される。故に、ＦＤにもＭＤと同様に、アクセス装置からの取り出し時にシャッタによって自動的に無線ＩＣメモリを覆う本発明の構成を採用することが可能である。
【００４４】
また、上述の実施の形態では、アクセス窓を閉じている状態のシャッタが、無線ＩＣメモリを完全に覆っているが、シャッタは不正アクセスを防止可能であれば無線ＩＣメモリの少なくとも一部を覆えばよい。
【００４５】
以下、無線ＩＣメモリのシャッタによる被覆率に関するシミュレーション結果について説明する。図９は、無線ＩＣメモリのアンテナ端子間のインピーダンスＺ２１のマグニチュードの周波数特性を示している。マグニチュードは、位相を考慮しないインピーダンスＺ２１の大きさのみを表しており、Ｚ２１が（実部＋ｊ虚部）で表される場合、（（実部）２＋（虚部）２）１／２によって算出される。
【００４６】
リーダとは、アクセス装置に搭載された装置であり、無線ＩＣメモリに電磁波を照射する装置である。本シミュレーションでは、リーダが出力する電磁波のキャリア周波数は１３．５６ＭＨｚである。また、リーダのアンテナと無線ＩＣメモリのアンテナとの間隔は３０ｍｍとしている。
【００４７】
無線ＩＣメモリに搭載されるＩＣチップのインピーダンスは、アンテナ端子間のインピーダンスＺ２１に比べて大きい。ＩＣチップとアンテナとは並列に接続されているので、ＩＣチップ内の回路の消費電流の値をＩとし、アンテナ端子間のインピーダンスＺ２１の値をＺ２１とすると、ＩＣチップの入力電圧の値Ｖは、Ｖ＝Ｚ２１×Ｉと表される。ＩＣチップ内の回路の駆動電圧をＶ＝５Ｖ（または３Ｖ）、消費電流をＩ＝０．５Ａとすると、ＩＣチップ内の回路を動作させないためには、アンテナ端子間のインピーダンスＺ２１を約１０未満にする必要がある。図９に示されるように、キャリア周波数１３．５６ＭＨｚにおけるアンテナ端子間のインピーダンスＺ２１を約１０未満とするためには、無線ＩＣメモリのアンテナの被覆率を５０％以上とする必要がある。このように、無線ＩＣメモリを完全に被覆しなくても、少なくとも無線ＩＣメモリのアンテナの５０％程度を被覆することによって、無線ＩＣメモリへのアクセスを防止することが可能である。
【図面の簡単な説明】
【００４８】
【図１】本発明の第１の実施の形態に係る記録媒体の斜視図である。
【図２】本発明の第１の実施の形態に係る記録媒体の分解斜視図である。
【図３】シャッタによってアクセス窓が閉じられている状態の記録媒体の平面図である。
【図４】アクセス窓から記録担体が露出されている状態の記録媒体の正面図である。
【図５】本発明の第２の実施の形態に係る記録媒体の平面図である。
【図６】本発明の第２の実施の形態に係る記録媒体の平面図である。
【図７】本発明の第３の実施の形態に係る記録媒体の平面図である。
【図８】本発明の第３の実施の形態に係る記録媒体の平面図である。
【図９】無線ＩＣメモリのアンテナ端子間のインピーダンスＺ２１の特性を示す図である。
【符号の説明】
【００４９】
１０…記録媒体、１２…記録担体、１４…クランピングプレート、１６…ケース、１７ｃ、１８ｃ…アクセス窓、２０…シャッタ、２２…フック、２４…ライトプロテクタ、２６…無線ＩＣメモリ。
【図１】
2007012179.tif 000003
【図２】
2007012179.tif 000004
【図３】
2007012179.tif 000005
【図４】
2007012179.tif 000006
【図５】
2007012179.tif 000007
【図６】
2007012179.tif 000008
【図７】
2007012179.tif 000009
【図８】
2007012179.tif 000010
【図９】
2007012179.tif 000011